(57)【要約】【課題】  集合樋の内部を落下する遊技球が基板カバーに繰返し衝突することに基いて基板カバーが破損することを防止すること。【解決手段】  ランプ台板５１には板レンズ５２が保持されている。このランプ台板５１にはランプ基板６１が固定されており、ランプ基板６１は入球口より低所に位置するように集合樋の内部に収納されている。このランプ基板６１の前面には電球６２が搭載されており、板レンズ５２は後方から電球６２によって照明される。この構成の場合、ランプ基板６１の後面が屈曲自在な合成樹脂製の基板シート６４によって覆われている。このため、基板シート６４の柔軟性および耐疲労性が向上するので、上方の入球口から集合樋の内部に排出された遊技球が基板シート６４に繰返し衝突することに基いて基板シート６４が破損することが防止される。【選択図】  図４
2006333958.tif 000002
【特許請求の範囲】
【請求項１】
遊技盤に設けられ、遊技球が入球可能な入口および入球した遊技球を遊技盤の後方へ排出する出口を有する入球口と、
前記遊技盤に設けられ、前記入球口の出口から排出された遊技球が流れる樋部材と、
前記遊技盤に設けられた台板と、
前記台板に設けられた基板と、
前記基板の後面を覆う屈曲自在なシート状の基板カバーとを備え、
前記基板は、少なくとも一部が前記樋部材の内部に収納されたものであって前記樋部材の内部に収納された部分のうち下端が前記入球口の出口の下端と同一高さ以下となるように配置されたものであることを特徴とする遊技機。
【発明の詳細な説明】
【技術分野】
【０００１】
本発明は、遊技盤に台板を介して基板が固定された構成の遊技機に関する。
【背景技術】
【０００２】
上記遊技機には、電飾部材を保持する台板に基板を固定し、電飾部材および基板を前後方向に対向配置した構成のものがある。この基板の前面には光源が搭載されており、光源が発光したときには電飾部材が後方から照明される。この構成の場合、樋部材の内部に入球口より下方に位置して基板が収納されている。この樋部材は入球口の出口から排出された遊技球を機外へ流すものであり、樋部材の内部を落下する遊技球が基板の後面に形成された配線パターンに接触する虞れがある。このため、基板の後面を基板カバーによって覆い、遊技球が基板の配線パターンに接触することに基いて配線パターン相互間が短絡することを防止している。
【特許文献１】実公平４−４３２５７号公報
【発明の開示】
【発明が解決しようとする課題】
【０００３】
上記遊技機の場合、耐衝撃性が高い厚肉な合成樹脂製の基板カバーを使用している。この基板カバーは柔軟性および耐疲労性が低いので、遊技球が基板カバーに繰返し衝突することに基いて基板カバーが破損する虞がある。この基板の後面に配線パターンが剥き出しで形成されているときには基板カバーが破損することに基いて配線パターンが樋部材の内部に露出する。また、基板の後面に配線パターンを覆う保護膜が形成されているときには遊技球が保護幕に繰返し衝突することに基いて保護膜が削れ、配線パターンが樋部材の内部に露出する。従って、いずれの場合にも遊技球が基板の配線パターン相互間に接触することに基いて配線パターン相互間が短絡するので、光源が故障する可能性がある。
【０００４】
本発明は上記事情に鑑みてなされたものであり、その目的は、樋部材の内部を落下する遊技球が基板カバーに繰返し衝突することに基いて基板カバーが破損することを防止できる遊技機を提供することにある。
【課題を解決するための手段】
【０００５】
本発明の遊技機は１）入球口〜５）基板カバーを備えたところに特徴を有している。
１）入球口は遊技盤に設けられたものであり、遊技球が入球可能な入口および入球した遊技球を遊技盤の後方へ排出する出口を有している。図２の左上入賞口３７および右上入賞口３９は入球口に相当するものであり、図３に示すように、左上入賞口３７には出口３８が形成され、右上入賞口３９には出口４０が形成されている。これら左上入賞口３７および右上入賞口３９は上面が開口するポケット状をなすものであり、左上入賞口３７の上面および右上入賞口３９の上面は遊技球が入球可能な入口に相当する。
２）樋部材は遊技盤に設けられたものであり、入球口の出口から排出された遊技球が流れるものである。図３の集合樋３２は樋部材に相当するものであり、左上入賞口３７の出口３８から排出された遊技球および右上入賞口３９の出口４０から排出された遊技球は集合樋３２の内部を下方へ流れる。
３）台板は遊技盤に設けられたものであり、図４のランプ台板５１は台板に相当するものである。
４）基板は台板に固定されたものである。この基板は少なくとも一部が樋部材の内部に収納されたものであり、樋部材の内部に収納された部分のうち下端が入球口の出口の下端と同一高さ以下となるように配置されたものである。図３の左方のランプ基板６１および右方のランプ基板６１はいずれも基板に相当するものであり、両ランプ基板６１はいずれもその全てが集合樋３２の内部に収納され、左方のランプ基板６１は下端が左上入賞口３７の出口３８の下端と同一高さ以下となるように配置され、右方のランプ基板６１は下端が右上入賞口３９の出口４０の下端と同一高さ以下となるように配置されている。
５）基板カバーは基板の後面を覆う屈曲自在なシート状をなすものである。このシート状の基板カバーは厚さ寸法が「０．５ｍｍ」以下であることが好ましく、図４の基板シート６４は基板カバーに相当するものである。
【発明の効果】
【０００６】
基板の後面を屈曲自在なシート状の基板カバーによって覆った。このため、基板カバーの柔軟性および耐疲労性が向上するので、樋部材の内部を流れる遊技球が基板カバーに繰返し衝突することに基いて基板カバーが破損することが防止される。このため、基板の後面に剥き出しで形成された配線パターンが樋部材の内部に露出したり、基板の後面に形成された保護膜に遊技球が繰返し衝突することに基いて保護膜が削れることから配線パターンが樋部材の内部に露出することがなくなるので、基板の配線パターン相互間が遊技球を介して短絡することが防止される。しかも、シート状の基材を安価なプレス型によって打抜くことから基板カバーを製造することができる。このため、基板カバーを高価な射出成形型によって製造する必要がなくなるので、コストが安くなる。さらに、光源等の電気部品を基板の配線パターンに接続する半田の盛上りに応じて基板カバーが屈曲するようになるので、基板カバーを半田の盛上りから離して基板に設置する工夫が不要になる。
【発明を実施するための最良の形態】
【０００７】
パチンコホールの台島には、図１に示すように、外枠１が設置されている。この外枠１は前後面が開口する四角筒状をなすものであり、外枠１の前端面には前枠２が左側辺部の垂直な軸を中心に回動可能に装着されている。この前枠２の前面には下端部に位置して横長な長方形状の下皿板３が固定されており、下皿板３の前面には上面が開口する下皿４が固定されている。この下皿板３の上方には上皿板５が配置されている。この上皿板５は前枠２に装着されたものであり、上皿板５の前面には上面が開口する上皿６が固定されている。
【０００８】
下皿板３の前面には右端部に位置してハンドル台７が固定されており、ハンドル台７には発射ハンドル８が回動可能に装着されている。この発射ハンドル８の後方には発射モータ９が固定されており、発射モータ９の回転軸には打球槌１０が連結されている。この発射モータ９は打球槌１０の駆動源に相当するものであり、発射ハンドル８が回動操作されたときには発射モータ９に駆動電源が与えられ、打球槌１０が駆動することに基づいて上皿６内の遊技球を上皿６内から弾き出す。
【０００９】
前枠２の前面には窓枠１１が装着されている。この窓枠１１は円形孔状の窓部１２を有するものであり、窓部１２の内周面には透明なガラス窓１３が固定されている。この窓枠１１の後面には左上隅部および右上隅部に位置してスピーカ１４が固定されており、各スピーカ１４の前方には網状のスピーカカバー１５が配置されている。これら各スピーカカバー１５は窓枠１１に固定されたものであり、各スピーカ１４が再生する遊技音は前方のスピーカカバー１５を通して放出される。窓枠１１には両スピーカ１４間に位置してランプカバー１６が固定されており、ランプカバー１６の後方には複数の電飾ＬＥＤ１７が配置されている。これら各電飾ＬＥＤ１７は窓枠１１に固定されたものであり、ランプカバー１６は電飾ＬＥＤ１７が発光することに基いて後方から照明される。
【００１０】
前枠２には、図２に示すように、遊技盤１８が装着されており、遊技盤１８は窓枠１１のガラス窓１３により前方から覆われている。この遊技盤１８の前面には外レール１９および内レール２０が固定されており、外レール１９の右端部と内レール２０の右端部との間にはゴム製の球止め２３が固定されている。これら外レール１９および内レール２０間には左側部に位置して発射通路２１が形成されており、打球槌１０が弾いた遊技球は発射通路２１を通して遊技領域２２内に放出される。この遊技領域２２内には複数の障害釘が打込まれており、遊技領域２２内に放出された遊技球は障害釘に当りながら遊技領域２２内を落下する。この遊技領域２２は外レール１９および内レール２０によって囲まれた円形領域（発射通路２１の残余領域）を称するものであり、遊技球が転動可能な最大範囲である転動領域に相当する。
【００１１】
遊技領域２２内には大入賞口台板２４が固定されており、大入賞口台板２４には前面が開口する四角筒状の大入賞口２５が固定されている。この大入賞口台板２４には扉２６が下端部の水平な軸２７を中心に回動可能に装着されている。この扉２７は大入賞口ソレノイドのプランジャに連結されており、大入賞口ソレノイドは扉２６を垂直状態に回動操作することに基づいて大入賞口２５の前面を遊技球が入賞不能に閉鎖し、扉２６を前方へ倒れた水平状態に回動操作することに基づいて大入賞口２５の前面を遊技球が入賞可能に開放する。
【００１２】
遊技領域２２内には表示台板２８が固定されており、表示台板２８には図柄表示器２９が固定されている。この図柄表示器２９はカラー液晶表示器から構成されたものであり、図柄表示器２９には識別図柄が表示される。この識別図柄は左列の数字図柄と中列の数字図柄と右列の数字図柄の組合せ図柄を称するものであり、遊技者には識別図柄の３列の組合せに応じて大当りおよび外れが報知される。
【００１３】
遊技領域２２内には始動口３０が固定されている。この始動口３０は上面が開口するポケット状をなすものであり、遊技領域２２内を転動する遊技球は始動口３０内に上面から入賞可能にされている。この始動口３０には、図３に示すように、出口３１が形成されており、始動口３０内に入賞した遊技球は出口３１から遊技盤１８の後方へ排出される。この始動口３０内に遊技球が入賞したときには図柄遊技が開始される。この図柄遊技は図柄表示器２９に識別図柄を可変状態および可変停止状態で順に表示するものであり、識別図柄が大当りの組合せで停止表示されたときには大当り遊技が開始される。この大当りの組合せとは各列の数字図柄が同一な組合せを称するものであり、大当り以外の組合せを外れの組合せと称する。
【００１４】
大当り遊技は大入賞口２５を開放し、大入賞口２５内に遊技球が入賞することを許容する遊技者有利の状態を発生させるものであり、大入賞口２５は上限個（１０個）の遊技球が入賞する個数条件または開放時間が上限値（３０ｓｅｃ）に達する時間条件が満足されるまで開放状態に保持される。この大入賞口２５の個数条件および時間条件を基準とする開閉動作は大当りラウンドと称されるものであり、大当りラウンドは固定的な設定回数（１５回）だけ繰返される。この大当りラウンドの繰返しを大当り遊技と称する。
【００１５】
遊技盤１８の後面には、図３に示すように、集合樋３２が固定されており、始動口３０の出口３１は集合樋３２の内部に開口している。この集合樋３２は遊技盤１８の後面を覆うケース状をなすものであり、左傾斜板３３および右傾斜板３４を有している。左傾斜板３３は右方から左方へ向って下降傾斜するものであり、右傾斜板３４は左方から右方へ向って下降傾斜するものであり、始動口３０内に入賞した遊技球は出口３１から集合樋３２の内部に放出され、左傾斜板３３および右傾斜板３４のいずれかに沿って転がる。この集合樋３２には左排出口３５および右排出口３６が形成されている。左排出口３５は左排出樋に接続されたものであり、右排出口３６は右排出樋に接続されたものであり、左傾斜板３３に沿って転がる遊技球は左排出口３５から左排出樋を通して機外へ排出され、右傾斜板３４に沿って転がる遊技球は右排出口３６から右排出樋を通して機外へ排出される。この集合樋３２は樋部材に相当するものである。
【００１６】
遊技領域２２内には、図２に示すように、左上入賞口３７が固定されている。この左上入賞口３７は上面が開口するポケット状をなすものであり、遊技領域２２内を転動する遊技球は左上入賞口３７内に上面から入賞可能にされている。この左上入賞口３７には、図３に示すように、出口３８が形成されている。この出口３８は集合樋３２の内部に開口するものであり、左上入賞口３７内に入賞した遊技球は出口３８から集合樋３２の内部に放出され、集合樋３２の内部を落下して左排出口３５から左排出樋を通して機外へ排出される。この左上入賞口３７は入球口に相当するものであり、左上入賞口３７の上面は入口に相当するものである。
【００１７】
遊技領域２２内には、図２に示すように、右上入賞口３９が固定されている。この右上入賞口３９は上面が開口するポケット状をなすものであり、遊技領域２２内を転動する遊技球は右上入賞口３９内に上面から入賞可能にされている。この右上入賞口３９には、図３に示すように、出口４０が形成されている。この出口４０は集合樋３２の内部に開口するものであり、右上入賞口３９内に入賞した遊技球は出口４０から集合樋３２の内部に放出され、集合樋３２の内部を落下して右排出口３６から右排出樋を通して機外へ排出される。この右上入賞口３９は入球口に相当するものであり、右上入賞口３９の上面は入口に相当するものである。
【００１８】
遊技領域２２内には、図２に示すように、左サイドランプ装置５０が固定されている。この左サイドランプ装置５０は電飾装置に相当するものであり、次のように構成されている。
【００１９】
遊技盤１８には、図４に示すように、遊技盤１８の前面に沿う板状のランプ台板５１が固定されており、ランプ台板５１には有色透明な板レンズ５２が固定されている。この板レンズ５２はランプ台板５１と同一な平面上に位置する板状をなすものであり、ランプ台板５１には板レンズ５２の下方に位置して有色透明なケースレンズ５３が固定されている。このケースレンズ５３はランプ台板５１から前方へ突出するケース状をなすものであり、ランプ台板５１にはケースレンズ５３の後方に位置して開口部５４が形成されている。このランプ台板５１は台板に相当するものであり、板レンズ５２およびケースレンズ５３は電飾部材に相当するものである。
【００２０】
ランプ台板５１にはケースレンズ５３の上方に位置してゲート５５が固定されている。このゲート５５は上下面が開口するコ字枠状をなすものであり、ゲート５５内にはゲートセンサ５６が固定されている。このゲートセンサ５６は近接スイッチからなるものであり、円形孔状の開口部５７を有している。この開口部５７はゲート５５の内部空間を兼用するものであり、遊技球が開口部５７内を通過したときにはゲート５５内を通過したものとしてゲートセンサ５６から通過信号が出力される。
【００２１】
ゲート５５の下方には傾斜板５８が配置されている。この傾斜板５８はケースレンズ５３の内部に固定されたものであり、ゲート５５内を通過した遊技球は傾斜板５８上に落下する。この傾斜板５８は遊技盤１８の左方から右方へ向って下降する傾斜状をなすものであり、傾斜板５８上に落下した遊技球は傾斜板５８に沿って転がり、ケースレンズ５３の内部から放出される。
【００２２】
ランプ台板５１には後方へ突出するフード５９が固定されている。このフード５９はランプ台板５１を周回する筒状をなすものであり、遊技盤１８の貫通孔４１内に挿入されている。このフード５９の内部には上端部および下端部に位置して円筒状のボス６０が配置されている。これら両ボス６０はランプ台板５１に固定されたものであり、取付部材に相当する。これら両ボス６０の後端面には片面プリント配線基板からなるランプ基板６１が固定されており、ランプ基板６１は板レンズ５２およびケースレンズ５３に後方から対向配置されている。このランプ基板６１は後方からランプ基板６１を通して両ボス６０内にネジを締込むことに基いて固定されたものであり、配線パターンを有するパターン面が後面となるように配置されている。このランプ基板６１は、図３に示すように、集合樋３２の内部に収納されたものであり、ランプ基板６１の下端は左上入賞口３７の出口３８の下端より下方に配置されている。このランプ基板６１は基板に相当するものである。
【００２３】
ランプ基板６１の前面には、図４に示すように、複数の電球６２が搭載されている。これら各電球６２は光源に相当するものであり、ランプ基板６１の配線パターンに後面で半田付けされている。このランプ基板６１の前面にはコネクタ６３が搭載されており、コネクタ６３はランプ基板６１の配線パターンに後面で半田付けされている。即ち、ランプ基板６１の後面には複数の半田が付着しており、ランプ基板６１の後面には半田の盛上りからなる複数の突部が形成されている。
【００２４】
コネクタ６３は対のコネクタを接続するための差込口が左右方向へ指向するものであり、コネクタ６３の差込口にはフード５９とランプ基板６１との間の隙間を通して対のコネクタが接続される。この対のコネクタは電源回路に接続されたものであり、各電球６２は電源回路からコネクタ６３および配線パターンを通して電源が印加されることに基いて発光し、板レンズ５２およびケースレンズ５３は後方の電球６２が発光することに基いて照明される。
【００２５】
ランプ基板６１の後面には基板シート６４が被せられており、ランプ基板６１の後面は全域が基板シート６４によって覆われている。この基板シート６４は両ボス６０にネジを締込むことに基いてランプ基板６１と共に固定されたものであり、両ネジの頭部とランプ基板６１との間で位置ずれ不能に挟持されている。この基板シート６４はランプ基板６１の後面に形成された複数の半田の盛上りに沿って変形可能な屈曲自在なものであり、無色透明な合成樹脂（具体的にはポリエチレン）を材料に形成されている。この基板シート６４はランプ基板６１に比べて薄肉なものであり、シート状の基材をプレス型により打抜くことから製造されている。この基板シート６４は基板カバーに相当するものであり、厚さ寸法が「０．５ｍｍ」以下に設定されている。
【００２６】
遊技領域２２内には、図２に示すように、電飾装置に相当する右サイドランプ装置７０が固定されている。この右サイドランプ装置７０は左サイドランプ装置５０と同一構成をなすものであり、ランプ台板５１と板レンズ５２とケースレンズ５３とランプ基板６１と複数の電球６２と基板シート６４を有している。この右サイドランプ装置７０のランプ基板６１は、図３に示すように、集合樋３２の内部に収納されたものであり、右サイドランプ装置７０のランプ基板６１の下端は右上入賞口３９の出口４０の下端よりも下方に配置されている。
【００２７】
上記実施例１によれば次の効果を奏する。
左サイドランプ装置５０のランプ基板６１の後面を屈曲自在な合成樹脂製の基板シート６４により覆った。このため、基板シート６４の柔軟性および耐疲労性が向上するので、左上入賞口３７の出口３８から集合樋３２の内部に排出された遊技球が左サイドランプ装置５０の基板シート６４に繰返し衝突することに基いて左サイドランプ装置５０の基板シート６４が破損することが防止される。このため、左サイドランプ装置５０のランプ基板６１の後面に剥き出しで形成された配線パターンが集合樋３２の内部に露出することがなくなるので、ランプ基板６１の配線パターン相互間が遊技球を介して短絡することに基いて電球６２が故障することが防止される。しかも、シート状の基材を安価なプレス型によって打抜くことから基板シート６４を製造することができる。このため、基板カバーを高価な射出成形型によって製造する必要がなくなるので、コストが安くなる。さらに、基板シート６４がランプ基板６１の半田の盛上りに応じて屈曲するので、基板シート６４を半田の盛上がりから離してランプ基板６１に設置する工夫が不要になる。これらの効果は右サイドランプ装置７０についても同一である。
【００２８】
上記実施例１においては、左サイドランプ装置５０の基板シート６４をランプ基板６１にネジ止めする構成としたが、これに限定されるものではなく、例えばランプ基板６１の後面に直接的に貼付け可能に構成しても良い。この構成は右サイドランプ装置７０についても同一である。
【００２９】
上記実施例１においては、左サイドランプ装置５０のランプ基板６１の全てを集合樋３２の内部に収納する構成としたが、これに限定されるものではなく、例えばランプ基板６１の一部を集合樋３２の内部に収納する構成としても良い。この構成は右サイドランプ装置７０についても同一である。
【００３０】
上記実施例１においては、左サイドランプ装置５０のランプ基板６１を左上入賞口３７の出口３８の下方に配置したが、これに限定されるものではなく、例えば左上入賞口３７の出口３８の下方から左右方向に位置ずれする部分に配置しても良い。要は左上入賞口３７の出口３８より低所に配置されていれば良い。この構成は右サイドランプ装置７０についても同一である。
【００３１】
上記実施例１においては、基板シート６４の材料としてポリエチレンを用いたが、これに限定されるものではなく、例えばポリカーボネイトを用いても良い。
上記実施例１においては、ランプ基板６１の後面に配線パターンを剥き出しで形成したが、これに限定されるものではなく、例えばランプ基板６１の後面に配線パターンを覆う保護膜を形成しても良い。この構成の場合、ランプ基板６１の保護膜に遊技球が繰返し衝突することに基いて保護膜が削れることが防止される。このため、ランプ基板６１の配線パターンが集合樋３２の内部に露出することがなくなるので、ランプ基板６１の配線パターン相互間が遊技球を介して短絡することが防止される。
【図面の簡単な説明】
【００３２】
【図１】実施例１を示す図（ａは遊技機の全体構成を示す前面図、ｂは側面図）
【図２】遊技盤を示す前面図
【図３】遊技盤を示す後面図
【図４】左サイドランプ装置を示す図（ａは前面図、ｂはＸｂ線に沿う断面図、ｃはＸｃ視図、ｄはＸｄ視図）
【符号の説明】
【００３３】
１８は遊技盤、３２は集合樋、３７は左上入賞口、３８は出口、３９は右上入賞口、４０は出口、５１はランプ台板、５２は板レンズ、５３はケースレンズ、６１はランプ基板、６２は電球、６４は基板シートを示している。
【図１】
2006333958.tif 000003
【図２】
2006333958.tif 000004
【図３】
2006333958.tif 000005
【図４】
2006333958.tif 000006